(57)【要約】【課題】電極に付着したスケールを十分に除去して、スケール付着による電圧上昇を防ぐことで長期運転を可能とし、しかも電極からスケールを除去する時に発生する電極洗浄排水の処理が容易となる水の電解処理方法及び電解装置を提供する。【解決手段】貯水槽２１内の水を電解装置１に通水することにより、陰極１１の近傍で重炭酸イオンが炭酸イオンに解離し、Ｃａイオン及びＭｇイオンより炭酸カルシウム、炭酸マグネシウムが生成し、これらがスケールとして電極表面に析出することから冷却水系のスケール化傾向が低減される。陰極１１にスケールが所定以上付着してきたときには、電解装置１への通水を停止し、弁３０を閉、弁３２，３４を開とし、槽２内の水を抜く。次いで、ノズル６から水を噴出させる。この水が各陰極１１の陽極対向面に沿って流れることにより、陰極１１上の析出物が剥離除去される。【選択図】図１
2007144258.tif 000002
【特許請求の範囲】
【請求項１】
電極を有する電解装置に被処理水を通水し電解処理する工程と、該電極に付着したスケールを除去するスケール除去工程とを有する水の電解処理方法において、
該スケール除去工程において電極に向けて水を噴出させてスケールを除去することを特徴とする水の電解処理方法。
【請求項２】
請求項１において、電解処理工程において電極表面にスケールを析出させて被処理水からスケール成分を除去することを特徴とする水の電解処理方法。
【請求項３】
請求項１において、電解処理工程において電解によって水中にスケールの微粒子を析出させることを特徴とする水の電解処理方法。
【請求項４】
請求項１において、電解処理工程において電解によって塩素系酸化剤を生成させることを特徴とする水の電解処理方法。
【請求項５】
請求項１ないし４のいずれか１項において、前記電極は電解槽内に配置されており、
該電解槽内の水の少なくとも一部を抜き出した後、水を噴出させてスケール除去を行うことを特徴とする水の電解処理方法。
【請求項６】
請求項１ないし５のいずれか１項において、噴出させる水として、被処理水を濾過した水を用いることを特徴とする水の電解処理方法。
【請求項７】
請求項１ないし６のいずれか１項において、スケール除去工程において排出される水から、剥離したスケールを分離することを特徴とする水の電解処理方法。
【請求項８】
電解槽内部に通水された被処理水を電解槽内に配置された電極によって電解処理するように電解槽及び電極を備えてなる電解装置において、
電極に付着したスケールを除去するために該電極に向って水を噴出するノズルを備えたことを特徴とする水の電解装置。
【請求項９】
請求項８において、電極は板状であり、該ノズルから噴出する水の方向が電極の板面と略平行方向になるように該ノズルが設置されていることを特徴とする水の電解装置。
【請求項１０】
請求項９において、２枚の陽極間に２枚の陰極が配置された電極配列を１箇所以上有することを特徴とする水の電解装置。
【請求項１１】
請求項１０において、１個のノズルからの噴出水が陽極板の両板面に沿って流れるように陽極板の板面の延長方向にノズルが配置されていることを特徴とする水の電解装置。
【発明の詳細な説明】
【技術分野】
【０００１】
本発明は、循環型冷却水系などの水のスケール障害やスライム障害などを防止するために水を電解処理する方法及び装置に関する。
【背景技術】
【０００２】
工場、ビルなどのコンプレッサー、冷凍機で発生した廃熱は、熱交換器を介して冷却水（冷却媒体）で冷却されている。熱交換器において、廃熱との熱交換で温度が上昇した冷却水は開放型冷却塔で空気と接触することで蒸発して放熱、冷却され、再び熱交換器に循環される。従って、このような循環型冷却水系では、冷却塔で蒸発ないし飛散して減少した水量に相当する補給水が補給されて運転が行われている。
【０００３】
しかし、そのままでは補給水中に含有されるスケール成分が冷却水系内で濃縮されて、その溶解度を超え、熱交換器の伝熱面、冷却塔の充填材や底部或いは配管にスケールとして析出して付着し、熱交換効率の低下、通水抵抗の増加といった様々な運転障害を引き起こす。
【０００４】
そこで、系内をスケール析出が起こらない硬度で運転するために、濃縮された冷却水を系外へ排出して補給水で全体を希釈することにより、循環冷却水を一定の水質で運転管理することが行われている。ここで、ブロー水量を多くして、系内のスケール成分濃度を低くして運転すると、補給水を多く必要として水道料金が過大となる。反対に、ブロー水量を少なくして高濃縮運転を行うと、冷却水中のスケール成分が溶解度を超え難溶塩のスケールが析出することとなる。
【０００５】
従来、このような冷却水系内のスケール析出を防止するために、リン酸系薬剤やカルボン酸系など各種ポリマーよりなるスケール防止剤を添加することが行われているが、薬剤コストが嵩む。また、溶存した薬剤が放流域に住む水生生物へ影響を与える可能性があることから、下水道放流又は水処理が必要となるという問題もあった。また、薬剤は定期的に補充することが必要であり、その人員コストも問題となっている。
【０００６】
スケール防止剤を使用しない方法として、電解によるスケール防止技術が次の通り公知である。
【０００７】
１．電極へのスケール析出によるスケール除去
特開２００２−８６１５０号には、電極間に導電性粒子及び非導電性粒子を充填した電解装置内に被処理水を通水し、電極や粒子表面にスケール成分を析出させて水中からスケールを除去するボイラ給水処理方法及び装置が記載されている。
【０００８】
特開平８−１０７６８号には、無隔膜型の電解槽を内に被処理水を通水して電解処理、電極表面にスケールを析出させて水中からスケールを除去することが記載されている。なお、同号公報には、電極の印加電圧を反転させることにより、電極表面に付着したスケールを溶解除去することが記載されている。
【０００９】
２．微粒子生成によるスケール防止
特開２００３−１９０９８８号公報には、冷却水系の補給水または循環水を、極性が変わるバイポーラ電極を有する電解装置に通水し、補給水または循環水に含まれるスケール成分を微小な結晶として析出させることにより、冷却水系におけるスケール付着、特に伝熱面におけるスケール付着を防止する方法が記載されている。
【００１０】
この電解装置においては、カルシウムイオン、マグネシウムイオン等の陽イオンは導電性粒子の陰極側に集まり、炭酸イオン、シリカなどは陽極側に集まる。陰極付近が高ｐＨのため、陰極付近でスケールが析出する。正負の極性を逆に変換すると陰極は陽極となり、電極表面のｐＨが低下する。そうすることで核とならずに陰極上に析出したスケールを溶解し、電解不良を防ぐことができる。電極近傍で析出したスケールは循環水中へ流れ出て、非常に微細な結晶が冷却水中に分散したものとなる。この微細結晶が核となって、循環水中のスケール成分は系内の熱交換部や冷却塔よりも核を中心に析出する。次第に核は大きくなるが、ブロー水と共に排出され、伝熱面等へのスケール付着が防止される。
【００１１】
即ち、上記特開２００３−１９０９８８号公報の電解装置を備えた冷却水系において、電解装置で生じた微粒子を含んだ冷却水は熱交換器や冷却塔へ送り込まれ、その部位において溶解度が過飽和状態になる。過飽和状態において新たに結晶核を生成するために必要なエネルギーと既に存在する結晶を元に結晶成長するために必要なエネルギーでは既に存在する結晶を元に成長する方がはるかに必要なエネルギーが小さいので、流れてきたスケール成分の微粒子を種晶としてその上にスケール成分が析出する。そして、微細結晶は堆積するまでは成長せずにブローラインより排出される。
【００１２】
特開２００５−２７９５５０号及び特開２００５−２８８２３８号には１対の電極板間に被処理水を通水して電解処理し、上記と同様にして水中にスケール微粒子を析出させてスケール防止を行うことが記載されている。後者の公報には、電解処理によって酸を生成させ、電極に付着したスケールをこの酸によって溶解除去することが記載されている。
【００１３】
３．電解によるスライム防止処理
特開２００３−２８５０６８号には、冷却水を電解処理することにより塩素系酸化剤を水中に生成させ、これにより冷却水系でのスライム発生を防止することが記載されている。このような電解処理においても、長期運転により電極にスケールが析出するため、電極洗浄が必要となる。
【特許文献１】特開２００２−８６１５０号
【特許文献２】特開平８−１０７６８号
【特許文献３】特開２００５−２７９５５０号
【特許文献４】特開２００５−２８８２３８号
【特許文献５】特開２００３−１９０９８８号
【特許文献６】特開２００３−２８５０６８号
【発明の開示】
【発明が解決しようとする課題】
【００１４】
電極に付着したスケールを酸や電極反転によって溶解除去させる場合、スケールが溶解した電極洗浄排水を別途処理することが必要となり、工程に手間がかかる。また、反転では充分にスケールを剥離することができない。
【００１５】
本発明は、電極に付着したスケールを十分に除去することができ、しかも電極からスケールを除去する時に発生する電極洗浄排水の処理が容易となる水の電解処理方法及び電解装置を提供することを目的とする。
【課題を解決するための手段】
【００１６】
請求項１の水の電解処理方法は、電極を有する電解装置に被処理水を通水し電解処理する工程と、該電極に付着したスケールを除去するスケール除去工程とを有する水の電解処理方法において、該スケール除去工程において電極に向けて水を噴出させてスケールを除去することを特徴とするものである。
【００１７】
請求項２の水の電解処理方法は、請求項１において、電解処理工程において電極表面にスケールを析出させて被処理水からスケール成分を除去することを特徴とするものである。
【００１８】
請求項３の水の電解処理方法は、請求項１において、電解処理工程において電解によって水中にスケールの微粒子を析出させることを特徴とするものである。
【００１９】
請求項４の水の電解処理方法は、請求項１において、電解処理工程において電解によって塩素系酸化剤を生成させることを特徴とするものである。
【００２０】
請求項５の水の電解処理方法は、請求項１ないし４のいずれか１項において、前記電極は電解槽内に配置されており、該電解槽内の水の少なくとも一部を抜き出した後、水を噴出させてスケール除去を行うことを特徴とするものである。
【００２１】
請求項６の水の電解処理方法は、請求項１ないし５のいずれか１項において、噴出させる水として、被処理水を濾過した水を用いることを特徴とするものである。なお、これによりノズルの詰まりを防止することができる。
【００２２】
請求項７の水の電解処理方法は、請求項１ないし６のいずれか１項において、スケール除去工程において排出される水から、剥離したスケールを分離することを特徴とするものである。なお、この分離手段としては、膜濾過、フィルター、サイクロンによる遠心分離、静置沈殿等の手段が例示されるが、これに限定されない。
【００２３】
請求項８の水の電解装置は、電解槽内部に通水された被処理水を電解槽内に配置された電極によって電解処理するように電解槽及び電極を備えてなる電解装置において、電極に付着したスケールを除去するために該電極に向って水を噴出するノズルを備えたことを特徴とするものである。ノズル形状は、略平面上に広角に噴出するフラットコーン型が好ましい。
【００２４】
請求項９の水の電解装置は、請求項８において、電極は板状であり、該ノズルから噴出する水の方向が電極の板面と略平行方向になるように該ノズルが設置されていることを特徴とするものである。
【００２５】
請求項１０の水の電解装置は、請求項９において、２枚の陽極間に２枚の陰極が配置された電極配列を１箇所以上有することを特徴とするものである。
【００２６】
請求項１１の水の電解装置は、請求項１０において、１個のノズルからの噴出水が陽極板の両板面に沿って流れるように陽極板の板面の延長方向にノズルが配置されていることを特徴とするものである。
【発明の効果】
【００２７】
本発明では、水を電解処理することによりスケール除去あるいはスライム防止を行う。この処理に伴って電極にスケールが付着した場合、電極に向って水を噴出させてスケールを除去する。
【００２８】
なお、この水噴出によるスケール除去によると、微量のスケールが電極表面に残留するが、この残留スケールが次回の電解処理時にスケール析出の核となり、電極表面にスケールが析出し易くなる。従って、電極表面にスケールを析出させてスケール成分を水系から除去する場合に、このノズル噴出水による電極洗浄は効果的である。
【００２９】
本発明によると、電極の洗浄排水は、スケール剥離物を含むものであるから、このスケール剥離物を濾過等の簡単な手段で除去するだけで洗浄排水を冷却水等として再利用することができる。
【００３０】
このスケール除去を行う場合、電解槽内の水の少なくとも一部を（好ましくは電極が露出するように）抜いておくことにより、噴出水流が電極に強く当り、スケールを効率よく剥離することができる。
【００３１】
ノズルから水を噴出させて板状電極からスケール除去する場合、水を電極の板面に沿って流すことにより、水噴流が電極面の広範囲にわたり直接噴きつけられるので、電極全体からスケールを効率よく除去することができる。
【００３２】
特に、次の段落に記載の電極配列のみで構成される場合、陽極を挟み込む２個の陰極の陽極側に主にスケール析出するので、スケール洗浄を要する箇所の数が減り、請求項１１の構成にすることによってノズルの設置数を低減することができる。
【００３３】
２枚の陽極間に２枚の陰極が配置された電極配列を１箇所以上有する場合には、次の効果が奏される。即ち、陰極の陽極に対峙する側（スケール析出側）でない反対側（通水側）ではスケール析出量が相対的に少ないため、例えスケール析出側にスケールが析出しすぎて閉塞したとしても通水側は閉塞が起こることなく通水される圧損が上がらないので、ポンプへの過度な負担による故障や電解による温度上昇を避けることができる。
【００３４】
［電極へのスケール析出によるスケール除去機構］
冷却水系において、電解処理によって電極へスケールが析出する機構は次の通りである。
【００３５】
電解装置において冷却水は以下のように電解される。  
陽極：２Ｈ２Ｏ→Ｏ２＋４Ｈ＋＋４ｅ−
陰極：４Ｈ２Ｏ＋４ｅ−→４ＯＨ−＋２Ｈ２
【００３６】
この反応により陰極近傍では水素が発生してアルカリ性となる。このため、陰極近傍で重炭酸イオンが炭酸イオンに解離し、Ｃａイオン及びＭｇイオンより炭酸カルシウム、炭酸マグネシウムが生成し、これらがスケールとして電極表面に析出することから冷却水系のスケール化傾向が低減される。従って、循環冷却水又は補給水をこの電解装置に通水することにより、循環冷却水のスケール生成傾向が低下する。
【００３７】
この方法によると、薬品を使用せずに循環冷却水中スケール成分を析出せず、腐食を起こさない一定濃度で運転することができるため、熱交換部や冷却塔にスケールが析出することが防止ないし抑制及び腐食の低減が可能となる。また、補給水の硬度が高い地方においては高濃縮運転が可能となり、節水に繋がる。
【００３８】
［スケール微粒子の水中析出によるスケール防止機構］
上記反応により陰極近傍では水素が発生してアルカリ性となる。このため、陰極近傍で重炭酸イオンが炭酸イオンに解離し、Ｃａイオン及びＭｇイオンより炭酸カルシウム、炭酸マグネシウムが生成し、これらがスケール微粒子となって析出することからスケール化傾向が低減される。
【００３９】
また、このスケール微粒子を含んだ水が冷却水系のうち熱交換器等のスケール成分の過飽和領域を流れる場合、溶存スケール成分が該スケール微粒子上に析出するので、熱交換器等の機器表面へのスケール付着が著しく抑制される。従って、循環冷却水又は補給水をこの電解装置に通水することにより、循環冷却水のスケール生成傾向が低下する。
【００４０】
［塩素系殺菌剤生成によるスライム防止］
補給水には塩化物イオンなどの塩素成分が含まれているので、電解処理により次亜塩素酸などの酸化剤が発生する。これにより、循環型冷却水系における水の殺菌を行うことができる。
【発明を実施するための最良の形態】
【００４１】
以下、図面を参照して実施の形態について説明する。図１（ａ）〜（ｃ）はそれぞれ実施の形態に係るスケール除去装置の断面図であり、（ａ）は縦断面図、（ｂ）は（ａ）のＢ−Ｂ線断面図、（ｃ）は（ｂ）のＣ−Ｃ線断面図である。図２は冷却水系の概略的な系統図である。
【００４２】
図２の通り、熱交換器２３で温められた水はクーリングタワー２０で冷却され、貯水槽２１に貯留される。この冷却水が循環ポンプ２２を介して再び熱交換器２３へ送られる。
【００４３】
この貯水槽２１内の水をポンプ２４を有する導入ライン２５を介して電解装置１に通水し、電解処理した後、貯水槽２１に戻す。貯水槽２１内の水の蒸発により水位が下がると補給水が供給される。これにより循環水の過濃縮を防いでいる。また水位が一定以上になるとブロー配管２７からオーバーフローされる。
【００４４】
図１（ａ）の通り、導入ライン２５に弁３０が設けられている。弁３０と電解装置１との間から電極洗浄排水を排出するための配管３１が分岐しており、該配管３１に弁３２が設けられている。戻りライン２６からは空気給排用の配管３３が分岐しており、この配管３３に弁３４が設けられている。
【００４５】
次に、図１を参照して電解装置１の構成について説明する。
【００４６】
電解装置１は、水の入口３及び出口４を有したケーシング２内に複数（この実施の形態では２個）の電極セット１０を配置すると共に、電極洗浄用のノズル６をケーシング２の側面の膨出部５に設置したものである。各電極セット１０は、１枚の陽極１２の両側に３〜２０ｍｍ程度の通水スペースをあけて、それぞれ陰極１１、１１を配置したものである。陽極１２と陰極１１とは平行である。隣接する電極セット１０、１０は、陰極１１、１１同士が平行に対面するように配置されている。隣接する電極セット１０の陰極１１、１１同士の間隔は２〜１０ｍｍ程度が好適である。
【００４７】
この実施の形態では、ノズル６は各陽極１２の側方に配置されており、１枚の陽極１２につき１個のノズル６が陽極１２の高さ方向の中間付近に配置されている。ただし、１枚の陽極につき設置高さを異ならせて２個以上のノズルを設けてもよい。ノズル６は、電極の下方や上方に配置されてもよい。
【００４８】
各ノズルは、１枚の陽極１２の両極面に沿って水を流すように陽極１２の極面の延長方向に配置されている。ノズル６は略同一平面上に広角度範囲にわたって水を噴出させるものが用いられている。
【００４９】
弁３２，３４を閉、弁３０を開とし、各電極セット１０の陽極１２と陰極１１、１１との間に電圧を印加して電解装置１に通水すると、主として各陰極１１の板面のうち陽極１２に対峙する面（前面）にスケールが析出する。なお、陰極１１の反対側の面（裏面）にも若干量のスケールが析出する。
【００５０】
即ち、陽極１２と陰極１１との間の通水スペース内の陰極１１の近傍では、水素が発生してアルカリ性となる。このため、陰極１１の近傍で重炭酸イオンが炭酸イオンに解離し、Ｃａイオン及びＭｇイオンより炭酸カルシウム、炭酸マグネシウムが生成し、これらがスケールとして電極表面に析出することから冷却水系のスケール化傾向が低減される。
【００５１】
従って、貯水槽２１内の水を電解装置１に通水することにより、循環冷却水のスケール生成傾向が低下する。貯水槽２１の水の代わりに、補給水をこの電解装置で処理してから貯水槽２１へ供給するようにしてもよい。
【００５２】
なお、スケールが主に炭酸塩として析出することにより、系内の硬度成分だけでなく重炭酸イオンも除去して循環水のｐＨを低下させることができる。
【００５３】
溶液の腐食・スケール傾向を計るインデックスであるランジェリア指数（以下ＬＳＩと記載する。）は、正の値になるほどスケール析出傾向となり、負の値になるほど腐食傾向となり、０のときにどちらの傾向も示さない。電解装置１により硬度成分と重炭酸イオンの両方を除去してｐＨを下げることにより、ＬＳＩを０．５〜１．０の若干スケール傾向となるようにコントロールするのが好ましい。ＬＳＩを０．５〜１．０程度の正の値で管理し、スケールが析出しない過飽和に近い濃度でスケール成分を残存させておくことで、系内配管や熱交換器への腐食速度の低減が可能となる。循環水中のカルシウム硬度は冷却水系の熱交換部や配管、冷却塔の充填材などにスケールを析出させない８０〜１２０ｍｇＣａＣＯ３／Ｌで運転することが望ましく、さらにはＭアルカリ度を８０〜１２０ｍｇＣａＣＯ３／Ｌに制御して、飽和指数ＬＳＩを０．５〜１．０にすることが好ましい。
【００５４】
なお、電解処理時の通水スペース（陽極１２と陰極１１との間のスペース）内での水の流速（線速）は０．１ｍ／ｓｅｃ以下、例えば０．０１〜０．１ｍ／ｓｅｃ程度が好適である。このように流速を小さくすると、陰極１１の表面に析出するスケールが非常に柔らかく、除去し易いものとなる。陰極１１，１２の裏面同士の間の通水線速は０．０１〜１ｍ／ｓｅｃ程度が好適である。
【００５５】
この実施の形態では、陰極１１を多孔体にて構成することにより、水と陰極１１との接触面積が大きくなり、スケール成分を効率よく析出させることができる。
【００５６】
この多孔体の材料としては、導電性を有し、酸に不溶な材料が好ましく、具体的にはガラス質炭素、不溶性金属、金属酸化物、ＳＵＳなどの金属複合物が好適である。なお、多孔体電極の空隙率は３０〜９７％の範囲が好ましく、特に８０〜９７％が好適である。陽極には不溶性の金属電極、酸化耐性のある電極を使うのが好ましく、具体的には、白金、イリジウムを被覆したチタン電極や白金メッキ電極等が好ましい。
【００５７】
陰極１１にスケールが所定以上付着してきたときには、電解装置１への通水を停止し、弁３０を閉、弁３２，３４を開とし、槽２内の水を抜く。次いで、ノズル６から水を噴出させる。この水が各陰極１１の陽極対向面に沿って流れることにより、陰極１１上の析出物が剥離除去される。剥離したスケールは、配管３１から水と共に排出される。
【００５８】
なお、このように槽２内から水抜きしておくと、ノズル６の噴出水流が電極に沿って高流速で流れるので、スケールを効率よく除去することができる。
【００５９】
本発明では、この電極洗浄水として貯水槽２１内の水を濾過してから用いることが望ましい。この濾過により、ノズル６の詰まりを防止することができる。
【００６０】
配管３１からの洗浄排水には剥離したスケール粒子が含まれているが、これは濾過、サイクロン、沈殿処理などの簡易な分離手段によって除去処理できるので、洗浄排水をスケール除去処理した後、貯水槽２１へ戻して冷却水として再利用することができる。この分離手段としては、小型で付帯設備の不要な静沈分離手段が好ましい。図４は配管３１からの洗浄排水を邪魔板４１付きの沈殿槽４０に導入し、スケールを沈殿させるようにした場合の系統図である。水は配管４２を介して冷却水へ戻される。沈殿したスケールは、バルブ４４を開けて配管４３から間欠的に排出し、冷却水に混入しないようにする。この沈殿槽は、除去するスケールの蓄積、排出の管理が容易である。
【００６１】
電極洗浄後は、弁３２，３４を閉、弁３０を開とし、電解装置１への通水を再開する。
【００６２】
この実施の形態では、１個のノズル６で２枚の陰極１２の陽極対向面を洗浄することができ、ノズル設置数が少なくて足りる。
【００６３】
本発明では、電極に析出したスケールが硬くならないうちに洗浄するのが好ましく、具体的には３〜１２時間に１回の割合でノズル６によって電極洗浄するのが好ましい。また、陽極と陰極との間に定電流を通電する場合、電極間の印加電圧が所定値以上になったならば電極洗浄するようにしてもよい。電極洗浄後に電極間電圧を測定し、電極が十分に低下していないときには再度電極を洗浄するようにしてもよい。
【００６４】
ノズル６による洗浄時間は５分以下が好ましく、短かれば短いほど良い。水圧（ポンプ吐出側からノズル出口までの水圧）は０．１〜１０ＭＰａが好ましい。
【００６５】
本発明では、ノズル６からの噴出水による洗浄だけではスケールが十分に除去できない場合などには、酸洗浄、ＣＯ２溶解水洗浄、超音波洗浄などを組み合わせてもよい。また噴出水に用いる水は被処理水の他に、水道水、地下水、工業用水等でもよい。
【００６６】
上記実施の形態では、電極表面にスケールを析出させているが、水中にスケール微粒子を析出させて水系のスケール化傾向を低減させてもよい。また、電解によって塩素化殺菌剤を生成させる場合にも本発明を適用することができる。
【００６７】
本発明は、循環冷却水系に適用するのに好適であるが、逆浸透膜分離装置で濃縮排水（ブライン）を給水側へ循環させるようにした循環水系などの水系にも適用可能である。
【実施例】
【００６８】
実施例１
図２に示す開放系循環冷却水ラインに図１の本発明の電解装置（ただし、ノズル６は電極の下方に配置したもの）を設置した。電極配置は図示の通り「陰極−陽極−陰極−陰極−陽極−陰極」であり、合計陰極４枚、陽極２枚の構成でそれぞれの極間距離を５ｍｍとした。陰極の構成材料はステンレス多孔体であり、陽極の構成材料はチタンに白金メッキを施したものである。陰極及び陽極の大きさは１０×５０ｃｍである。通水スペース１５内における通水線速を０．１ｍ／ｓｅｃとし、電流密度を０．５Ａ／ｍ２とした。１６ｈｒ析出運転後、ノズル６（オリフィス相当径１ｍｍ）から水を噴出速度４Ｌ／分にて１分間噴出させた。このときの電極へのスケール付着量を図３に示す。
【００６９】
なお、循環冷却水の硬度成分は、電解しない場合にカルシウム硬度２００ｍｇＣａＣＯ３／Ｌまで濃縮され、スケール析出が起こるが、１６ｈｒ除去運転した場合、カルシウム硬度は１２０ｍｇ−ＣａＣＯ３／Ｌのスケール析出しない水質で保持されて、開放点検時の熱交換器へのスケール付着はなかった。
【００７０】
比較例１
実施例１において、ノズル噴出による電極洗浄の代わりに、背景技術の項で示した電極の極性転換によるスケール除去を行うことにより、冷却水系の運転を行った。その結果、陰極に局部的にスケールが残留して、極間抵抗が上がり、電圧上昇することが分かった。
【００７１】
実施例１、比較例１での循環水中カルシウム硬度と熱交換器へのスケール析出速度を計測したところ、１ヶ月当たり、１ｃｍ２に付着した炭酸カルシウムスケール量（ｍｇ）として表１の通りであった。
【００７２】
【表１】
2007144258.tif 000003
【図面の簡単な説明】
【００７３】
【図１】実施の形態に用いられる電解装置の断面図である。
【図２】循環型冷却水系の系統図である。
【図３】スケール析出量の経時変化図である。
【図４】スケール排出部の系統図である。
【符号の説明】
【００７４】
１  電解装置
１０  電極セット
１１  陰極
１２  陽極
【図１】
2007144258.tif 000004
【図２】
2007144258.tif 000005
【図３】
2007144258.tif 000006
【図４】
2007144258.tif 000007